(57)【要約】【課題】  機器の持ち方や用途により第１筐体と第２筐体との相対角度を変えても、その角度に合わせて表示方向を切り換えることを可能にし、また第１筐体と第２筐体の位置関係に関わらず、良好な操作性を確保するようにした携帯型電子機器を提供する。【解決手段】  受話部及び表示部11を備える第１筐体10と送話部を備える第２筐体20とを、ヒンジにより相互に連結し、さらに受話部または送話部の表面に略垂直な回転軸２の回りに回転可能に構成された携帯型電子機器において、第１筐体10が機器を開いた状態あるいは閉じた状態から回転した時に、その回転角度と機器の保持角度によって、第１筐体10上の主表示部11の表示方向を切り換えられるようにしたものである。【選択図】    図２
2005168038.tif 000002
【特許請求の範囲】
【請求項１】
表示部を備える第１筐体と操作部を備える第２筐体とを連結し、さらに前記表示部もしくは前記操作部の表面に略垂直な軸の回りに回転可能に構成された携帯型電子機器において、
前記軸回りに回転して前記第１筐体と前記第２筐体とのなす角が９０°となった時に、表示部の表示方向を回転前の方向から９０°切り換えるようにしたことを特徴とする携帯型電子機器。
【請求項２】
前記第１筐体が反転するように閉じた状態で、表示方向切り換えキーによって表示部の表示方向を９０°切り換えるようにしたことを特徴とする請求項１記載の携帯型電子機器。
【請求項３】
前記操作部の表面に略垂直な前記回転軸上に選択キーを有することを特徴とする請求項１または請求項２記載の携帯型電子機器。
【請求項４】
前記表示部もしくは前記操作部の表面に略垂直な前記軸回りに関して、前記第１筐体と前記第２筐体とのなす角が所定の回転角度において回転規制機能を有することを特徴とする請求項１乃至３記載の携帯型電子機器。
【請求項５】
前記表示部もしくは前記操作部の表面に略垂直な前記軸回りに関して、前記第１筐体と前記第２筐体とのなす角が所定の回転角度において回転停止機能を有することを特徴とする請求項１乃至請求項４記載の携帯型電子機器。
【請求項６】
前記第１筐体の主表示部の反対側に副表示部を有することを特徴とする請求項１乃至請求項５記載の携帯型電子機器。
【発明の詳細な説明】
【技術分野】
【０００１】
本発明は、携帯電話や携帯情報端末などの携帯型電子機器、特に表示部を備える第１筐体と操作部を備える第２筐体とを、表示部もしくは操作部の表面に略垂直な軸回りに相互に回転可能にした携帯型電子機器に関し、表示部の向きに合わせて表示部の表示方向を切り換え、また操作性を確保するようにしたものである。
【背景技術】
【０００２】
従来の携帯型電子機器、例えば携帯電話では、図９に示されるように、受話部および表示部を有する第１筐体10と送話部および操作部を有する第２筐体20とを、ヒンジ１で連結し上下方向に開閉可能にされており、縦長の筐体に対して表示面積をできる限り大きくとるよう表示部形状が縦長になっており、また操作部が第２筐体20上の開閉軸付近に配置されているものが一般的である。
【発明の開示】
【発明が解決しようとする課題】
【０００３】
しかしながら、画像の送受信や録画・再生を行なう場合、縦長の表示部に横長の画像を表示する方法では、表示面積を十分に利用することができないという課題があった。
【０００４】
また、第１筐体を操作部に略垂直な軸の回りに回転させると、第１筐体の一部が選択キーを覆うため、選択キーの配置が制限され小形化ができないという課題があった。
【０００５】
本発明は、上記のような課題に鑑み、機器の表示方向や持ち方により第１筐体と第２筐体との相対角度を変えても、その角度に合わせて表示方向を切り換えることを可能にし、また第１筐体と第２筐体の位置関係に関わらず、良好な操作性を確保するようにした携帯型電子機器を提供することを目的とする。
【課題を解決するための手段】
【０００６】
本願の請求項１に記載の発明は、表示部を備える第１筐体と操作部を備える第２筐体とを連結し、さらに前記表示部もしくは前記操作部の表面に略垂直な軸の回りに回転可能に構成された携帯型電子機器において、前記軸回りに回転して前記第１筐体と前記第２筐体とのなす角が９０°となった時に、表示部の表示方向を回転前の方向から９０°切り換えるようにしたことを特徴とする携帯型電子機器としたものである。
【０００７】
この構成によれば、例えば携帯電話のような縦長の画面に横長の画像を表示する場合、第１筐体を９０°回転させた時には横長になった主表示部に適合して表示を横長に切り換えることにより、主表示部の表示領域を最大限に利用し、使用者に見やすい画像を提供することができる。
【０００８】
また、本願の請求項２に記載の発明は、前記第１筐体が反転するように閉じた状態で、表示方向切り換えキーによって表示部の表示方向を９０°切り換えるようにしたことを特徴とする携帯型電子機器としたものである。
【０００９】
この構成によれば、機器の持ち方と表示内容に対して表示方向切り換えキーを用いて最適な表示方向に切り換えることができる。
【００１０】
また、本願の請求項３に記載の発明は、前記操作部の表面に略垂直な前記回転軸上に選択キーを有することを特徴とする携帯型電子機器としたものである。
【００１１】
この構成によれば、第１筐体と第２筐体とが使用可能であるすべての位置関係において選択キーが必ず表面に現れているため、良好な操作性を確保することができる。
【００１２】
また、本願の請求項４に記載の発明は、前記表示部もしくは前記操作部の表面に略垂直な前記軸回りに関して、前記第１筐体と前記第２筐体とのなす角が所定の回転角度において回転規制機能を有することを特徴とする携帯型電子機器としたものである。
【００１３】
この構成によれば、回転軸の構造上、回転角度に制限がある場合に、第１筐体及び第２筐体が無理な角度まで回転しないように規制して回転軸を保護することができる。
【００１４】
また、本願の請求項５に記載の発明は、前記表示部もしくは前記操作部の表面に略垂直な前記軸回りに関して、前記第１筐体と前記第２筐体とのなす角が所定の回転角度において回転停止機能を有することを特徴とする携帯型電子機器としたものである。
【００１５】
この構成によれば、９０°、１８０°などの使用頻度の高い第１筐体の位置において使用中に第１筐体が回転することなく停止し、安定して使用することができる。
【００１６】
また、本願の請求項６に記載の発明は、前記第１筐体の主表示部の反対側に副表示部を有することを特徴とする携帯型電子機器としたものである。
【００１７】
この構成によれば、第１筐体と第２筐体を折り畳んだ状態でも、日付や時刻、電子メールや伝言の受信状況、電池容量を知ることができる。
【発明の効果】
【００１８】
以上に説明したように本願の請求項１に記載の発明は、表示部を備える第１筐体と操作部を備える第２筐体とを連結し、さらに前記表示部もしくは前記操作部の表面に略垂直な軸の回りに回転可能に構成された携帯型電子機器において、前記軸回りに回転して前記第１筐体と前記第２筐体とのなす角が９０°となった時に、表示部の表示方向を回転前の方向から９０°切り換えるようにしたことを特徴とする携帯型電子機器としたものであり、この構成により、例えば携帯電話のような縦長の画面に横長の画像を表示する場合、第１筐体を９０°回転させた時には横長になった主表示部に適合して表示を横長に切り換え、主表示部の表示領域を最大限に利用し、使用者に見やすい画像を提供することができる。
【００１９】
また、本願の請求項２に記載の発明は、前記第１筐体が反転するように閉じた状態で、表示方向切り換えキーによって表示部の表示方向を９０°切り換えるようにしたことを有することを特徴とする携帯型電子機器としたものであり、この構成によれば、機器の持ちと表示内容に対して表示方向切り換えキーを用いて最適な表示方向に切り換えることができる。
【００２０】
また、本願の請求項３に記載の発明は、前記操作部の表面に略垂直な前記回転軸上に選択キーを有することを特徴とする携帯型電子機器としたものであり、この構成によれば、第１筐体と第２筐体とが使用可能であるすべての位置関係において選択キー操作部が常に表面に現れているため、良好な操作性を確保することができる。
【００２１】
また、本願の請求項４に記載の発明は、前記表示部もしくは前記操作部の表面に略垂直な前記軸回りに関して、前記第１筐体と前記第２筐体とのなす角が所定の回転角度において回転規制機能を有することを特徴とする携帯型電子機器としたものであり、この構成によれば、回転軸の構造上、回転角度に制限がある場合に、第１筐体及び第２筐体が無理な角度まで回転しないように規制して回転軸を保護することができる。
【００２２】
また、本願の請求項５に記載の発明は、前記表示部もしくは前記操作部の表面に略垂直な前記軸回りに関して、前記第１筐体と前記第２筐体とのなす角が所定の回転角度においてクリック機能を有することを特徴とする携帯型電子機器としたものであり、この構成によれば、９０°、１８０°などの使用頻度の高い第１筐体の位置において使用中に第１筐体が回転することなく、安定して使用することができる。
【００２３】
また、本願の請求項６に記載の発明は、前記第１筐体の主表示部の反対側に副表示部を有することを特徴とする携帯型電子機器としたものであり、この構成によれば、第１筐体と第２筐体を折り畳んだ状態でも、日付や時刻、電子メールや伝言の受信状況、電池容量を知ることができる。
【発明を実施するための最良の形態】
【００２４】
以下、発明の実施の形態について、図１〜図８を用いて説明する。
図１は、本発明の実施の形態に係る携帯型電子機器の構成を示す斜視図である。図１において携帯型電子機器は、主表示部11とスピーカ12などを有する第１筐体10と、選択キー21、発信ボタン23、終話ボタン24、テンキー25などの操作部とマイク22とを有する第２筐体20と、ヒンジ１と回転軸２とで構成されている。
【００２５】
そして第１筐体10と第２筐体20はヒンジ１により相互に折り畳み可能(Ａ方向の回転による)に連結し、さらに操作部21の表面に略垂直な軸の回りに回転可能(Ｂ方向の回転による)に構成されている。
【００２６】
図２は、図１に示した携帯型電子機器の持ち方や第１筐体と第２筐体との角度による主表示部の表示方向が切り換えられている状態を示す図である。
【００２７】
図２（ａ）は第１筐体10を開いた状態における主表示部11の表示方向を示すものであり、図２（ｂ）は第１筐体10を第２筐体20に対して９０°の角度に回転させた状態における表示方向を示すものであり、９０°の角度は回転軸２に付加した回転検出機能（図示せず）により検出し、横長となった主表示部11に合わせて表示方向を横長に切り換えている。
【００２８】
図３は第１筐体10を反転させて主表示部11が表側となるように閉じた状態における表示方向を示すものであり、回転軸２に付加した回転検出機能（図示せず）により第１筐体10が１８０°回転していることを検出し、閉状態の検出機能（図示せず）を組み合わせることにより、第１筐体10の向きを検出し、使用者に正常に見えるように、表示が図２（ａ）と比較して上下方向に反転するように切り換えている。
【００２９】
図４は図３の状態から持ち方を変え、機器全体を９０°回転させた状態において表示方向切り換えキー16を用いて、横長になった主表示部11に合わせて表示方向を横長に切り換えている。
【００３０】
図５（ａ）及び図５（ｂ）は、本発明の実施の形態に係る送話部の表面に略垂直な回転軸上に選択キーを有する携帯型電子機器の構成を示す図である。
【００３１】
図５（ａ）及び図５（ｂ）に示すように、選択キー21’を回転軸２上に有することにより、常に良好な操作性を確保するとともに、従来、第２筐体20にあった選択キー21を削減することにより、第２筐体20を小型化することができる。
【００３２】
図６は、図１に示した携帯型電子機器の構成において、表示部もしくは操作部の表面に略垂直な軸回りに関して、所定の回転角度で回転規制機能を有することを示す、回転軸部分の拡大図である。
【００３３】
図６に示すように、回転軸上部３と回転軸下部４の各々に突起を設けることにより、回転軸上部３と回転軸下部４相互の回転を１８０°以上回転しないように制限することができる。
【００３４】
図７は、図１に示した携帯型電子機器の構成において、表示部もしくは操作部の表面に略垂直な軸回りに関して、所定の回転角度において回転停止機能を有することを示す、回転軸部分の拡大図である。
【００３５】
図７に示すように、回転軸上部３に９０°間隔で凹部を、回転軸下部４に同じく９０°間隔で凸部を設けることにより、回転軸上部３と回転軸下部４との回転が９０°間隔で止まり、クリック感を発生させることができる。
【００３６】
図８は、図１に示した携帯型電子機器の構成において、第１筐体の主表示部の反対側に副表示部を有するように構成させたときの斜視図である。
【００３７】
図８に示すように、第１筐体10の主表示部11とは反対側に副表示部15を設けることにより、第１筐体10と第２筐体20を折り畳んだ状態でも、日付や時刻、電子メールや伝言の受信状況、電池容量を知ることができる。
【図面の簡単な説明】
【００３８】
【図１】本発明の実施の形態に係る携帯型電子機器の構成を示す斜視図、
【図２】図１に示した本発明の携帯型電子機器の構成において、第１筐体の回転に合わせて主表示部の表示方向が９０°切り換えられている状態を示す図、
【図３】図１に示した本発明の携帯型電子機器の構成において、主表示部の表示方向が上下に切り換えられている状態を示す図、
【図４】図１に示した本発明の携帯型電子機器の構成において、主表示部の表示方向が９０°切り換えられている状態を示す図、
【図５】本発明の実施の形態に係る送話部の表面に略垂直な回転軸上に操作部を有する携帯型電子機器において、（ａ）は主表示部の表示方向が正常位置にある状態を示す図、（ｂ）は主表示部の表示方向が上下に切り換えられている状態を示す図、
【図６】図１に示した携帯型電子機器の構成において、所定の回転角度において回転規制機能を有するように構成させたときの拡大図、
【図７】図１に示した携帯型電子機器の構成において、所定の回転角度において回転停止機能を有するように構成させたときの拡大図、
【図８】図１に示した携帯型電子機器の構成において、第１筐体の主表示部の反対側に副表示部を有するように構成させたときの斜視図、
【図９】従来の携帯型電子機器を示す図である。
【符号の説明】
【００３９】
１  ヒンジ
２  回転軸
３  回転軸上部
４  回転軸下部
10  第１筐体
11  主表示部
12  スピーカ
13  レシーバ
15  副表示部
16  表示方向切り換えキー
20  第２筐体
21  選択キー
【図１】
2005168038.tif 000003
【図２】
2005168038.tif 000004
【図３】
2005168038.tif 000005
【図４】
2005168038.tif 000006
【図５】
2005168038.tif 000007
【図６】
2005168038.tif 000008
【図７】
2005168038.tif 000009
【図８】
2005168038.tif 000010
【図９】
2005168038.tif 000011